(57)【要約】【課題】チャンネルについての問い合わせを容易に行うことができる車載サテライトラジオ放送受信機を提供する。【解決手段】車両２に搭載され、サテライトラジオ放送を受信する車載サテライトラジオ放送受信機１において、携帯電話４を通信可能に接続し、サテライトラジオ放送のチャンネル毎に、チャンネルについて携帯電話４によって問い合わせる場合に電話すべき電話番号を対応付けて記憶する記憶部１６を備え、１のチャンネルが選択されている状態において、所定の操作がなされた場合、この１のチャンネルに対応する電話番号を記憶部１６から読み出し、読み出した電話番号に対して発呼させるための発呼信号を携帯電話４に送信するようにした。【選択図】図２
2009290845.tif 000002
【特許請求の範囲】
【請求項１】
車両に搭載され、サテライトラジオ放送を受信する車載サテライトラジオ放送受信機において、
電話装置を通信可能に接続し、
前記サテライトラジオ放送のチャンネル毎に、チャンネルについて前記電話装置によって問い合わせる場合に電話すべき電話番号を対応付けて記憶する記憶部を備え、
１の前記チャンネルが選択されている状態において、所定の操作がなされた場合、この１のチャンネルに対応する前記電話番号を前記記憶部から読み出し、読み出した電話番号に対して発呼させるための発呼信号を前記電話装置に送信する
ことを特徴とする車載サテライトラジオ放送受信機。
【請求項２】
前記チャンネルは、契約した場合にのみこのチャンネルに係るサテライトラジオ放送を聴取可能に受信できる要契約チャンネルを含み、
前記記憶部は、前記要契約チャンネルと、この要契約チャンネルについて契約する場合に前記電話装置によって電話すべき前記電話番号とを対応付けて記憶し、
前記要契約チャンネルが選択されている状態において、所定の操作がなされた場合、この要契約チャンネルに対応する前記電話番号を前記記憶部から読み出し、読み出した電話番号に対して発呼させるための発呼信号を前記電話装置に送信する
ことを特徴とする請求項１に記載の車載サテライトラジオ放送受信機。
【請求項３】
各種情報を表示する表示部をさらに備え、
前記チャンネルは、ユーザＩＤを前記表示部に表示するためのユーザＩＤ表示チャンネルを含み、
前記記憶部は、前記ユーザＩＤ表示チャンネルと、このユーザＩＤ表示チャンネルに表示される前記ユーザＩＤに応じてユーザに対してサービスを提供するサービス提供者の電話番号と、を対応付けて記憶し、
前記ユーザＩＤ表示チャンネルが選択されている状態において、所定の操作がなされた場合、このユーザＩＤ表示チャンネルに対応した前記電話番号を前記記憶部から読み出し、読み出した電話番号に対して発呼させるための発呼信号を前記電話装置に送信する
ことを特徴とする請求項１に記載の車載サテライトラジオ放送受信機。
【請求項４】
ユーザの送話音声を収音して前記電話装置に送信すると共に、前記電話装置から受話音声を受信して放音するハンズフリー通話機能を備える
ことを特徴とする請求項１乃至３に記載の車載サテライトラジオ放送受信機。
【請求項５】
前記所定の操作とは、前記電話装置を自動で発呼する際に操作される操作キーが操作されることである
ことを特徴とする請求項１乃至４に記載の車載サテライトラジオ放送受信機。
【請求項６】
車両に搭載され、サテライトラジオ放送を受信し、電話装置が通信可能に接続されると共に、前記サテライトラジオ放送のチャンネル毎に、チャンネルについて前記電話装置によって問い合わせる場合の電話番号を対応付けて記憶する記憶部を備える車載サテライトラジオ放送受信機を制御して、
１の前記チャンネルが選択されている状態において、所定の操作がなされた場合、この１のチャンネルに対応する前記電話番号を前記記憶部から読み出し、読み出した電話番号に対して発呼させるための発呼信号を前記電話装置に送信する
ことを特徴とする車載サテライトラジオ放送受信機の制御方法。
【発明の詳細な説明】
【技術分野】
【０００１】
本発明は、車両に搭載されて、サテライトラジオ放送を受信する車載サテライトラジオ放送受信機、及び、車載サテライトラジオ放送受信機の制御方法に関する。
【背景技術】
【０００２】
従来、車両に搭載され、サテライトラジオ放送を受信する車載ラジオが知られている（例えば、特許文献１参照）。車両の走行中に、運転手がこの車載ラジオを利用して聴いているサテライトラジオ放送のチャンネルについて問い合わせを行う場合、一旦車両の走行を停止して問い合わせ先を調べると共に、携帯電話等の電話装置を用いてこの問い合わせ先に電話をかけるという作業が行われる。
【特許文献１】特開２００３−３４７９４９号公報
【発明の開示】
【発明が解決しようとする課題】
【０００３】
しかしながら、従来の車載ラジオでは、チャンネルについての問い合わせに際して行われる作業が煩雑である、という問題があった。
本発明は、上述した事情に鑑みてなされたものであり、チャンネルについての問い合わせを容易に行うことができる車載サテライトラジオ放送受信機を提供することを目的とする。
【課題を解決するための手段】
【０００４】
上記目的を達成するために、本発明は、車両に搭載され、サテライトラジオ放送を受信する車載サテライトラジオ放送受信機において、電話装置を通信可能に接続し、前記サテライトラジオ放送のチャンネル毎に、チャンネルについて前記電話装置によって問い合わせる場合に電話すべき電話番号を対応付けて記憶する記憶部を備え、１の前記チャンネルが選択されている状態において、所定の操作がなされた場合、この１のチャンネルに対応する前記電話番号を前記記憶部から読み出し、読み出した電話番号に対して発呼させるための発呼信号を前記電話装置に送信することを特徴とする。
この構成によれば、１のチャンネルが選択されている状態において、ユーザによって所定の操作が行われると、この１のチャンネルについて問い合わせを行う際に電話すべき電話番号に対して電話装置が自動で発呼する。従って、１のチャンネルについて問い合わせを行う場合、ユーザは、１のチャンネルを選択した状態で所定の操作を行うだけでよく、問い合わせにかかる作業が容易化する。
【０００５】
ここで、上記発明において、前記チャンネルは、契約した場合にのみこのチャンネルに係るサテライトラジオ放送を聴取可能に受信できる要契約チャンネルを含み、前記記憶部は、前記要契約チャンネルと、この要契約チャンネルについて契約する場合に前記電話装置によって電話すべき前記電話番号とを対応付けて記憶し、前記要契約チャンネルが選択されている状態において、所定の操作がなされた場合、この要契約チャンネルに対応する前記電話番号を前記記憶部から読み出し、読み出した電話番号に対して発呼させるための発呼信号を前記電話装置に送信するようにしてもよい。
この構成によれば、要契約チャンネルが選択されている状態において、ユーザによって所定の操作が行われると、この要契約チャンネルについて契約する際に電話によって問い合わせるべき電話番号に対して電話装置が自動で発呼する。従って、要契約チャンネルについて契約する場合、ユーザは、契約チャンネルを選択した状態で所定の操作を行うだけでよく、契約にかかる作業が容易化する。
【０００６】
また、上記発明において、各種情報を表示する表示部をさらに備え、前記チャンネルは、ユーザＩＤを前記表示部に表示するためのユーザＩＤ表示チャンネルを含み、前記記憶部は、前記ユーザＩＤ表示チャンネルと、このユーザＩＤ表示チャンネルに表示される前記ユーザＩＤに応じてユーザに対してサービスを提供するサービス提供者の電話番号と、を対応付けて記憶し、前記ユーザＩＤ表示チャンネルが選択されている状態において、所定の操作がなされた場合、このユーザＩＤ表示チャンネルに対応した前記電話番号を前記記憶部から読み出し、読み出した電話番号に対して発呼させるための発呼信号を前記電話装置に送信するようにしてもよい。
この構成によれば、ＩＤ表示チャンネルが選択されている状態において、ユーザによって所定の操作が行われると、電話によって問い合わせるべきサービス提供者の電話番号に対して電話装置が自動で発呼する。従って、サービス提供者からサービスを受ける際、ユーザは、ＩＤ表示チャンネルを選択した後に所定の操作を行うだけでサービス提供者の電話番号に対し電話装置によって発呼でき、サービスを受けるために必要な作業が容易化する。
【０００７】
また、上記発明において、ユーザの送話音声を収音して前記電話装置に送信すると共に、前記電話装置から受話音声を受信して放音するハンズフリー通話機能を備えるようにしてもよい。
この構成によれば、ハンズフリー通話を行うことができるため、車両を運転中のユーザが電話装置によって問い合わせを行う場合に、運転をしたまま問い合わせを行うことができ、問い合わせにかかる作業が容易化する。
【０００８】
また、上記発明において、前記所定の操作とは、前記電話装置を自動で発呼する際に操作される操作キーが操作されることである。
この構成によれば、ユーザは、問い合わせに際し、操作キーを操作するという簡易な作業によって、電話装置を発呼することができるため、ユーザの利便性が向上する。
【０００９】
また、上記目的を達成するために、本発明は、車両に搭載され、サテライトラジオ放送を受信し、電話装置が通信可能に接続されると共に、前記サテライトラジオ放送のチャンネル毎に、チャンネルについて前記電話装置によって問い合わせる場合の電話番号を対応付けて記憶する記憶部を備える車載サテライトラジオ放送受信機を制御して、１の前記チャンネルが選択されている状態において、所定の操作がなされた場合、この１のチャンネルに対応する前記電話番号を前記記憶部から読み出し、読み出した電話番号に対して発呼させるための発呼信号を前記電話装置に送信することを特徴とする。
【発明の効果】
【００１０】
本発明によれば、サテライトラジオ放送のチャンネルについて問い合わせを行う場合、容易に問い合わせを行うことができる。
【発明を実施するための最良の形態】
【００１１】
以下、図面を参照して本発明の実施の形態について説明する。
図１は、本実施形態に係る車載サテライトラジオ放送受信機１の使用の態様を示す図である。この車載サテライトラジオ放送受信機１は、車両２に搭載され、サテライトラジオ放送局３が放送するサテライトラジオ放送を受信する装置である。車載サテライトラジオ放送受信機１によってサテライトラジオ放送を聴取可能に受信するためには、ユーザは、このサテライトラジオ放送局３と事前に契約する必要があり、契約を行ったユーザにはサテライトラジオ放送局３から固有のユーザＩＤが付与される。サテライトラジオ放送を聴取可能に受信するとは、受信したサテライトラジオ放送に係る音声を正常にスピーカ２２（図２）から放音できるような状態でサテライトラジオ放送を受信することを意味する。例えば、サテライトラジオ放送に係る電波にスクランブル信号が重畳され、このスクランブル信号によってサテライトラジオ放送に係る音声の聴取に制限がなされている場合、このスクランブル信号による聴取の制限を解除することによってスピーカ２２から音声を放音できるような状態で、このサテライトラジオ放送を受信することを意味する。
【００１２】
図１に示すように、車載サテライトラジオ放送受信機１には、Bluetooth（登録商標）規格に準拠した無線通信可能に携帯電話４（電話装置）が接続されている。この携帯電話４は、移動通信網５を介して、サテライトラジオ放送局３に設けられた固定電話６や、他の携帯電話（不図示）と通話通信するものであり、スピーカやマイク、アンテナといった携帯電話としての一般的な構成を備えると共に、Bluetooth規格に準拠した無線通信を行うための無線通信部を備えている。本実施形態に係る車載サテライトラジオ放送受信機１は、受話音声を携帯電話４から受信してスピーカ２２（図２）によって車両２内に放音すると共に、ユーザが発した送話音声をマイク２３（図２）によって収音し、携帯電話４に送信することより、ユーザが携帯電話４を把持することなく固定電話６や他の携帯電話とハンズフリー通話することを可能とする。
なお、車載サテライトラジオ放送受信機１と携帯電話４との無線通信として、近距離無線通信の一つであるBluetoothを用いた場合を例にして説明するが、近距離無線通信として無線ＬＡＮを用いても良く、また、無線通信に限らず、有線通信であっても良い。
【００１３】
図２は、車載サテライトラジオ放送受信機１の機能的構成を示すブロック図である。図２に示すように、車載サテライトラジオ放送受信機１は、制御部１０と、受信部１１と、音声処理部１２と、表示部１３と、操作部１４と、電話処理部１５と、記憶部１６と、を備えている。
制御部１０は、車載サテライトラジオ放送受信機１の各部を中枢的に制御するものであり、演算実行手段としてのＣＰＵや、記憶手段としてのＲＯＭ、ＣＰＵのワークエリアとして機能するＲＡＭを有している。
受信部１１は、アンテナを介して受信したデジタルラジオ放送の放送信号から音声信号を生成して制御部１０に出力するものであり、チューナ処理部２０と、チューナ２１と、を備えている。チューナ処理部２０は、制御部１０の制御の下、ユーザが選択したチャンネルに対応する放送信号をチューナ２１に受信させると共に、チューナ２１が受信した放送信号をデコード処理によって復調して音声信号を生成し、この音声信号を制御部１０に出力する。
音声処理部１２は、スピーカ２２と接続されており、制御部１０から入力された音声信号をデジタル／アナログ変換してスピーカ２２に出力することによって、音声信号に係る音声を外部へ放音する。また、音声処理部１２は、マイク２３と接続されており、マイク２３によって収音された送話音声に係る信号をアナログ／デジタル変換し、音声信号として制御部１０に出力する。
【００１４】
表示部１３は、ユーザが選択したチャンネルや、動作モード等の各種情報を表示するものであり、表示処理部２４と、表示器２５とを備えている。表示処理部２４は、制御部１０の制御の下、表示データを生成すると共に、この表示データを表示器２５に出力することによって表示器２５に各種情報を表示させる。本実施形態では、表示器２５として、液晶表示パネルが用いられている。
操作部１４は、ユーザによる各種指示入力を制御部１０に出力するものであり、キー処理部２６と、操作キー２７とを備えている。ユーザによって操作キー２７が操作されて各種指示入力が行われると、キー処理部２６は、この指示入力を示す信号を制御部１０に出力する。操作キー２７は、少なくとも、受信するサテライトラジオ放送のチャンネルを選択するためのチャンネル選択用操作キーを備えており、ユーザは、表示器２５に表示された各種情報を参照しつつ、チャンネル選択用操作キーを操作して、聴きたいサテライトラジオ放送のチャンネルを選択する。本実施形態では、操作キー２７として、図５に示すように、車載サテライトラジオ放送受信機１の本体に設けられたプッシュボタン２８のほか、表示器２５に重ねて配設されたタッチパネル２９（図５）が存在し、ユーザは、プッシュボタン２８を押下するほか、タッチパネル２９をタッチ操作することによって各種指示入力を行う。
【００１５】
電話処理部１５は、制御部１０の制御の下、携帯電話４とBluetoothの規格に準拠した無線通信を行うものであり、携帯電話４が固定電話６や他の携帯電話から受信した受話音声を受信して、この受話音声を示す音声信号を制御部１０に出力すると共に、ユーザが発した送話音声に係る音声信号が制御部１０から入力されると、この音声信号が示す送話音声を携帯電話４に送信する。
また、電話処理部１５は、制御部１０の制御の下、携帯電話４の動作を制御するための制御信号を携帯電話４に送信する。この制御信号には、携帯電話４を自動で発呼するための発呼信号が含まれる。この発呼信号には、携帯電話４によって発呼すべき電話番号を示す情報が含まれており、発呼信号を受信した携帯電話４は、この発呼信号に含まれた電話番号を示す情報に基づいて、この電話番号に対し自動で発呼する。
記憶部１６は、各種データを書き換え可能に記憶する装置であり、例えばハードディスクドライブ装置や、ＥＥＰＲＯＭ等を用いて構成される。この記憶部１６には、上述したユーザＩＤを示すユーザＩＤデータが記憶されている。また、記憶部１６には、図２に示すように、チャンネルＤＢ３０、要契約チャンネルＤＢ３１、及び、ＩＤ表示チャンネルＤＢ３２が記憶されている。
【００１６】
図３（Ａ）は、チャンネルＤＢ３０の構成例を示す図であり、図３（Ｂ）は、要契約チャンネルＤＢ３１の構成例を示す図であり、図３（Ｃ）は、ＩＤ表示チャンネルＤＢ３２の構成例を示す図である。
図３（Ａ）に示すように、チャンネルＤＢ３０の１件のレコードには、チャンネルフィールド３０ａと、種別フィールド３０ｂとが含まれている。
チャンネルフィールド３０ａには、ユーザが選択可能なチャンネルを示すチャンネルデータが格納される。
種別フィールド３０ｂには、対応するチャンネルフィールド３０ａに格納されたチャンネルデータが示すチャンネルの種別を示す種別データが格納される。本実施形態では、チャンネルの種別として、要契約チャンネル、ユーザＩＤ表示チャンネル、及び、普通チャンネルが存在する。ここで、要契約チャンネル、ユーザＩＤ表示チャンネル、及び、普通チャンネルについて説明する。
【００１７】
要契約チャンネルとは、ユーザが契約したサテライトラジオ放送局３が放送するサテライトラジオ放送のチャンネルのうち、チャンネル管理者とチャンネル毎に個別に契約しなければ聴取可能に受信することのできないチャンネルである。チャンネル管理者とは、ユーザＩＤ毎に要契約チャンネルの契約の管理を行うものであり、例えば、サテライトラジオ放送局３がチャンネル管理者としての役割を果たす。要契約チャンネルについてチャンネル管理者と契約するためには、ユーザは、チャンネル管理者に電話によって問い合わせ、自身のユーザＩＤを示して、契約に係る手続を行う必要がある。
ユーザＩＤ表示チャンネルとは、ユーザＩＤを表示器２５に表示するためのチャンネルである。ユーザによって操作キー２７が操作されてこのユーザＩＤ表示チャンネルが選択されると、サテライトラジオ放送の受信は行われず、表示器２５にユーザＩＤが表示される。
普通チャンネルとは、要契約チャンネル、及び、ユーザＩＤ表示チャンネル以外のチャンネルであって、車載サテライトラジオ放送受信機１の通常の使用方法により受信することのできるチャンネルである。
【００１８】
図３（Ｂ）に示すように、要契約チャンネルＤＢ３１の１件のレコードには、要契約チャンネルフィールド３１ａと、契約済フラグフィールド３１ｂと、契約先電話番号フィールド３１ｃとが含まれている。
要契約チャンネルフィールド３１ａには、要契約チャンネルを示す要契約チャンネルデータが格納される。
契約済フラグフィールド３１ｂには、要契約チャンネルについて契約をしているか否かを示すフラグが格納される。要契約チャンネルのうち契約をしているチャンネル（以下、「既契約チャンネル」という）には、フラグとして「１」がセットされ、契約されていないチャンネル（以下、「未契約チャンネル」という）には、フラグとして「０」がセットされる。
契約先電話番号フィールド３１ｃには、対応する要契約チャンネルフィールド３１ａに格納された要契約チャンネルデータが示す要契約チャンネルについて、チャンネル管理者と契約する際に電話すべき電話番号を示す契約先電話番号データが格納される。
【００１９】
図３（Ｃ）に示すように、ＩＤ表示チャンネルＤＢ３２の１件のレコードには、ＩＤ表示チャンネルフィールド３２ａと、サービス提供者電話番号フィールド３２ｂとが含まれている。
ＩＤ表示チャンネルフィールド３２ａには、ユーザＩＤ表示チャンネルを示すＩＤ表示チャンネルデータが格納される。
サービス提供者電話番号フィールド３２ｂには、サービス提供者の電話番号を示すサービス提供者電話番号データが格納される。サービス提供者とは、ユーザＩＤに応じてユーザに各種サービスを提供するものであり、例えば、サテライトラジオ放送局３がサービス提供者として機能する。各種サービスには、例えば、車載サテライトラジオ放送受信機１によって受信されているサテライトラジオ放送に関する質問への応答に係るサービスや、車載サテライトラジオ放送受信機１の不具合に関する問い合わせへの応答に係るサービス等がある。ユーザはサービス提供者からサービスを受ける場合、電話によって問い合わせる必要がある。
【００２０】
ところで、上述したように、ユーザが操作キー２７を操作して選択したチャンネルが未契約チャンネルであった場合、この未契約チャンネルに係るサテライトラジオ放送は聴取可能に受信することはできない。従来、ユーザがこの未契約チャンネルに係るサテライトラジオ放送を受信したいと考えた場合、ユーザは、例えば、サテライトラジオ放送局３がサテライトラジオ放送に関する情報提供のために配布した冊子や、電話帳等を用いて契約する際に電話すべきチャンネル管理者、及び、このチャンネル管理者の電話番号を調べ、この電話番号に電話して契約する、という煩雑な作業を行う必要があった。特に、車両２を運転している運転手が未契約チャンネルについて契約したいと考えた場合、一旦車両２の運転を停止して作業を行う必要があり、作業が煩雑であると共に、契約までに時間を要することとなる。
また、ユーザが、サービス提供者から各種サービスを受けたいと考えた場合、操作キー２７を操作してユーザＩＤ表示チャンネルを選択することによって表示器２５に自身のユーザＩＤを表示すると共に、サービス提供者の電話番号を調べ、この電話番号に電話し、必要に応じて自身のユーザＩＤを示すという煩雑な作業を行う必要がある。
本実施形態に係る車載サテライトラジオ放送受信機１では、以下の動作を行うことにより、上述した作業の容易化を図っている。
【００２１】
図４は、車載サテライトラジオ放送受信機１の動作を示すフローチャートである。
なお、図４の動作の前提として、ユーザが車載サテライトラジオ放送受信機１を利用してサテライトラジオ放送を受信しているものとする。
まず、車載サテライトラジオ放送受信機１の制御部１０は、ユーザによって操作キー２７が操作されて、新たにチャンネルが選択されたか否かを監視する（ステップＳＡ１）。チャンネルが選択された場合（ステップＳＡ１：ＹＥＳ）、制御部１０は、チャンネルＤＢ３０の種別フィールド３０ｂに格納された種別データを参照し、選択されたチャンネルが要契約チャンネル、または、ユーザＩＤ表示チャンネルのいずれかのチャンネルに該当するか否かを判別する（ステップＳＡ２）。選択されたチャンネルが要契約チャンネル、または、ユーザＩＤ表示チャンネルのいずれにも該当しない場合、制御部１０は、受信部１１を制御して、選択されたチャンネルに係るサテライトラジオ放送を受信する（ステップＳＡ３）。
【００２２】
ステップＳＡ２において、選択されたチャンネルが要契約チャンネル、または、ユーザＩＤ表示チャンネルのいずれかに該当する場合（ステップＳＡ２：ＹＥＳ）、制御部１０は、選択されたチャンネルが、要契約チャンネル、または、ユーザＩＤ表示チャンネルのいずれに該当するかを判別する（ステップＳＡ４）。選択されたチャンネルがユーザＩＤ表示チャンネルの場合（ステップＳＡ４：「ユーザＩＤ表示チャンネル」）、制御部１０は、記憶部１６からユーザＩＤデータを読み出すと共に、ＩＤ表示チャンネルＤＢ３２から、選択されたチャンネルを示すＩＤ表示チャンネルデータに対応するサービス提供者電話番号データを読み出す。そして制御部１０は、表示処理部２４を制御して、読み出したユーザＩＤデータ、及び、サービス提供者電話番号データに基づいて、表示器２５にユーザＩＤ、ＩＤ表示チャンネル、及び、サービス提供者の電話番号を表示する（ステップＳＡ５）。
【００２３】
ステップＳＡ４において、選択されたチャンネルが要契約チャンネルの場合（ステップＳＡ４：「要契約チャンネル」）、制御部１０は、要契約チャンネルＤＢ３１の要契約チャンネルフィールド３１ａ、及び、契約済フラグフィールド３１ｂを参照し、選択されたチャンネルが既契約チャンネル、または、未契約チャンネルのいずれに該当するかを判別する（ステップＳＡ６）。選択されたチャンネルが既契約チャンネルの場合（ステップＳＡ６：「既契約チャンネル」）、制御部１０は、処理をステップＳＡ３に移行し、選択されたチャンネルに係るサテライトラジオ放送を受信する。一方、選択されたチャンネルが未契約チャンネルの場合（ステップＳＡ６：「未契約チャンネル」）、制御部１０は、要契約チャンネルＤＢ３１から、選択されたチャンネルを示す要契約チャンネルデータに対応する契約先電話番号データを読み出す。そして制御部１０は、表示処理部２４を制御して、読み出した契約先電話番号データに基づいて、要契約チャンネル、及び、チャンネル管理者の電話番号を表示器２５に表示する（ステップＳＡ７）。ステップＳＡ７の動作において、制御部１０は、要契約チャンネル、及び、チャンネル管理者の電話番号を表示すると共に、選択されたチャンネルが未契約であり、受信するためには契約する必要がある旨表示する。このように、未契約チャンネルを選択した場合、表示器２５に選択されたチャンネルが未契約であり、受信するためには契約する必要がある旨が表示されるため、ユーザは、容易に選択したチャンネルが未契約チャンネルであることを認識できる。
【００２４】
ステップＳＡ５、または、ステップＳＡ７の処理の実行後、制御部１０は、携帯電話４が無線通信可能に接続されており、携帯電話４に対し発呼信号を送信することによりこの携帯電話を自動発呼させることができるか否かを判別する（ステップＳＡ８）。携帯電話を自動発呼させることができない場合（ステップＳＡ８：ＮＯ）、制御部１０は、処理を終了する。この場合、表示器２５に、ステップＳＡ５の処理によりサービス提供者の電話番号が表示された状態、又は、ステップＳＡ７の処理によりチャンネル管理者の電話番号が表示された状態が維持されるため、ユーザは、これら電話番号を参照し、例えば、ユーザ自身がこれら電話番号にダイヤルする等の適切な処理を行うことができる。
一方、携帯電話を自動発呼させることができる場合（ステップＳＡ８：ＹＥＳ）、制御部１０は、表示器２５にワンタッチダイヤルキー４０（図５）を表示する（ステップＳＡ９）。ワンタッチダイヤルキー４０とは、携帯電話４を自動発呼させる際に操作される操作キーであり、ユーザがこのワンタッチダイヤルキー４０を操作すると、後述する所定の電話番号に対し携帯電話４が自動発呼する。このワンタッチダイヤルキー４０は、表示器２５に重ねて配置されているタッチパネルにおいて、ワンタッチダイヤルキー４０に該当する部分を１回押下することによって作動する。
【００２５】
ワンタッチダイヤルキー４０を表示器２５に表示した後、制御部１０は、表示したワンタッチダイヤルキー４０が操作されたか否かを監視する（ステップＳＡ１０）。ワンタッチダイヤルキー４０が操作された場合（ステップＳＡ１０：ＹＥＳ）、制御部１０は、発呼信号を携帯電話４に送信し、携帯電話４を自動発呼させる（ステップＳＡ１１）。ステップＳＡ１１の動作を詳述すると、制御部１０は、選択されたチャンネルが未契約チャンネルである場合、要契約チャンネルＤＢ３１から、この未契約チャンネルを示す要契約チャンネルデータと対応する契約先電話番号データを読み出し、この契約先電話番号データに係る電話番号を示す情報を含む発呼信号を携帯電話４に送信する。これにより、選択された未契約チャンネルと契約する際に電話すべきチャンネル管理者に対し、携帯電話４が自動発呼し、ユーザは、チャンネル管理者と通話することによって未契約チャンネルについて契約手続を行うことができるようになる。
【００２６】
また、制御部１０は、選択されたチャンネルがＩＤ表示チャンネルである場合、ＩＤ表示チャンネルＤＢ３２から、このＩＤ表示チャンネルを示すＩＤ表示チャンネルデータと対応するサービス提供者電話番号データを読み出し、このサービス提供者電話番号データに係る電話番号を示す情報を含む発呼信号を携帯電話４に送信する。これにより、サービス提供者に対して、携帯電話４が自動発呼し、ユーザは、携帯電話４の通話を通じて、サービス提供者から各種サービスを受けることができるようになる。
【００２７】
図５は、ステップＳＡ９の処理によってワンタッチダイヤルキー４０が表示器２５に表示された状態を示す図である。図５（Ａ）は、ステップＳＡ１においてユーザが選択したチャンネルが未契約チャンネルである場合の表示器２５の状態を示し、図５（Ｂ）は、ステップＳＡ１においてユーザが選択したチャンネルがユーザＩＤ表示チャンネルである場合の表示器２５の状態を示す。
選択されたチャンネルが未契約チャンネルの場合、図５（Ａ）に示すように、ステップＳＡ９の処理後、表示器２５には、要契約チャンネル、チャンネル管理者の電話番号、及び、選択されたチャンネルが未契約であり、受信するためには契約する必要がある旨と共に、ワンタッチダイヤルキー４０が表示される。そして、未契約チャンネルについて契約したいと考えたユーザは、ワンタッチダイヤルキー４０を１回押下するという簡易な操作を行えば、未契約チャンネルと契約する場合に電話すべきチャンネル管理者の電話番号に対し、携帯電話４から自動発呼できる。このため、未契約チャンネルの契約に際して、チャンネル管理者の電話番号を調べ、この電話番号に電話する、という煩雑な作業を行う必要がなくなり、契約にかかる作業が容易化する。
さらに、本実施形態に係る車載サテライトラジオ放送受信機１は、ハンズフリー通話機能を備えるため、車両を運転中のユーザが未契約チャンネルについてチャンネル管理者と契約する場合、運転をしたままハンズフリー通話によって契約手続を行うことができ、契約にかかる作業のさらなる容易化を実現できる。
【００２８】
また、選択されたチャンネルがユーザＩＤ表示チャンネルの場合、図５（Ｂ）に示すように、ステップＳＡ９の処理後、表示器２５には、ユーザＩＤ、ユーザＩＤ表示チャンネル、及び、サービス提供者の電話番号と共に、ワンタッチダイヤルキー４０が表示される。そして、各種サービスを受けようと考えたユーザは、ワンタッチダイヤルキー４０を１回押下するという簡易な操作を行えば、このユーザＩＤに応じて、ユーザに各種サービスを提供するサービス提供者の電話番号に対し、携帯電話４から自動で発呼できる。このため、サービス提供者からサービスを受ける際、ユーザは、ＩＤ表示チャンネルを選択した後にワンタッチダイヤルキー４０を操作するだけでサービス提供者の電話番号に対し電話装置によって発呼でき、サービスを受けるために必要な作業が容易化する。
さらに、本実施形態に係る車載サテライトラジオ放送受信機１は、ハンズフリー通話機能を備えるため、車両を運転中のユーザがサービス提供者からサービスを受ける場合、運転をしたままの状態で、ハンズフリー通話による通話を通じてサービス提供者からサービスを受けることができ、サービスを受けるために必要な作業のさらなる容易化を実現できる。
【００２９】
以上説明したように、本実施形態によれば、未契約チャンネルが選択されている状態において、ユーザによってワンタッチダイヤルキー４０が操作されると、この未契約チャンネルについて契約する際に電話によって問い合わせるべき電話番号に対して携帯電話４が自動で発呼する。従って、未契約チャンネルについて契約する場合、ユーザは、未契約チャンネルを選択した状態でワンタッチダイヤルキー４０を操作するだけで、契約に際して電話すべき電話番号に対し携帯電話４によって発呼でき、契約にかかる作業が容易化する。
【００３０】
また、本実施形態によれば、ＩＤ表示チャンネルが選択されている状態において、ユーザによってワンタッチダイヤルキー４０が操作されると、電話によって問い合わせるべきサービス提供者の電話番号に対して携帯電話４が自動で発呼する。従って、サービス提供者からサービスを受ける際、ユーザは、ＩＤ表示チャンネルを選択した後にワンタッチダイヤルキー４０を操作するだけでサービス提供者の電話番号に対し電話装置によって発呼でき、サービスを受けるために必要な作業が容易化する。
【００３１】
また、本実施形態に係る車載サテライトラジオ放送受信機１は、ユーザの送話音声を収音して携帯電話４に送信すると共に、携帯電話４から受話音声を受信して放音するハンズフリー通話機能を備えている。このため、車両を運転中のユーザが未契約チャンネルについてチャンネル管理者と契約する場合、運転をしたままハンズフリー通話によって契約手続を行うことができ、契約にかかる作業のさらなる容易化を実現できる。さらに、車両を運転中のユーザがサービス提供者からサービスを受ける場合、運転をしたままの状態で、ハンズフリー通話による通話を通じてサービス提供者からサービスを受けることができ、サービスを受けるために必要な作業のさらなる容易化を実現できる。
【００３２】
また、本実施形態によれば、ユーザは、ワンタッチダイヤルキー４０を１回押下するという簡易な作業によって、チャンネル管理者やサービス提供者に対して発呼することができるため、ユーザの利便性が向上する。
【００３３】
なお、上述した実施の形態は、あくまでも本発明の一態様を示すものであり、本発明の範囲内で任意に変形および応用が可能である。
上述した実施形態では、ワンタッチダイヤルキー４０は、タッチパネルに設けられたタッチ操作用のキーであったが、これは、車載サテライトラジオ放送受信機１にハードウェア的に設けられたプッシュボタン２８（図５参照）であってもよい。この場合であっても、ユーザは、プッシュボタン２８を１回押下するという簡易な作業によって、チャンネル管理者やサービス提供者に対して発呼することができるため、ユーザの利便性が向上する。
また、上述した実施形態では、要契約チャンネルＤＢ３１において、要契約チャンネルとチャンネル管理者の電話番号とを対応付けて記憶し、また、ＩＤ表示チャンネルＤＢ３２において、ＩＤ表示チャンネルとサービス提供者の電話番号とを対応付けて記憶する例を説明したが、チャンネルに対応付けて記憶する電話番号はこれに限らず、例えば、普通チャンネルとこの普通チャンネルについて問い合わせる場合の電話番号とを記憶するようにしてもよい。
また、上述した実施形態では、問い合わせの例として、未契約チャンネルについて契約する際にチャンネル管理者に対して行う問い合わせ、及び、サービスを受ける際に、サービス提供者に対して行う問い合わせを例に挙げて説明したが、問い合わせの態様はこれに限らない。すなわち、本発明は、携帯電話４等の電話装置を介して行う全ての問い合わせについて適用することができる。
【図面の簡単な説明】
【００３４】
【図１】本実施形態に係る車載サテライト放送受信機の使用の態様を示す図である。
【図２】車載サテライト放送受信機の機能的構成を示すブロック図である。
【図３】（Ａ）は、チャンネルテーブルを示し、（Ｂ）は、要契約チャンネルテーブルを示し、（Ｃ）は、ＩＤ表示チャンネルテーブルを示す。
【図４】車載サテライト放送受信機の動作を示すフローチャートである。
【図５】（Ａ）は、選択されたチャンネルが未契約チャンネルである場合の表示器の状態を示し、（Ｂ）は、選択されたチャンネルがユーザＩＤ表示チャンネルである場合の表示器の状態を示す。
【符号の説明】
【００３５】
１  車載サテライトラジオ放送受信機
２      車両
４      携帯電話（電話装置）
１３    表示部
１６    記憶部
４０    ワンタッチダイヤルキー（操作キー）
３１  要契約チャンネルＤＢ（記憶部）
３２  ＩＤ表示チャンネルＤＢ（記憶部）
【図１】
2009290845.tif 000003
【図２】
2009290845.tif 000004
【図３】
2009290845.tif 000005
【図４】
2009290845.tif 000006
【図５】
2009290845.tif 000007